(57)【要約】  本発明による携帯電話機は、少なくとも１つの発音要素（１０）と、この発音要素（１０）と機械的に接触してこれに音を発生させるようにする少なくとも１つのアクチュエータ部材（８）とを含む呼び出し機構（１）と、呼び出し機構を制御する電子手段とを備えることを特徴とする。
2012513143.tif 000002
【特許請求の範囲】
【請求項１】
‐少なくとも１つの発音要素（１０、２３、７２）と、該発音要素（１０、２３、７２）と機械的に接触してこれを振動させることにより音を発生させることができる少なくとも１つの作動部材（８、１３、２２、７１）とを含む呼び出し機構（１、２０、６８）と、
‐前記呼び出し機構を制御するための電子手段（１５、１７、１９、４２〜４５、７６〜７８）と、
を備えることを特徴とする携帯電話機。
【請求項２】
前記呼び出し機構（１、２０、６８）は、異なるそれぞれの音符を生成するように配置されたいくつかの発音要素（１０、２３、７２）と、それぞれの作動部材（８、１３、２２、７１）とを含む、
ことを特徴とする請求項１に記載の携帯電話機。
【請求項３】
前記呼び出し機構（１、２０）は、表面上に突起（１３）を備えた回転部材（７、２１）を含み、これらの突起（１３）は、前記作動部材（８、１３、２２）を駆動又は形成する、
ことを特徴とする請求項１又は請求項２に記載の携帯電話機。
【請求項４】
前記呼び出し機構（１）は、前記回転部材（７）を回転駆動するように、前記電子手段（１５、１７、１９）により制御される電気モータ（１８）を含む、
ことを特徴とする請求項３に記載の携帯電話機。
【請求項５】
前記呼び出し機構（２０）は、前記回転部材（２１）を回転駆動するための、ばね（２６）を有する機械モータ（２４）と、前記ばね（２６）の弛緩を阻止又は許容するように前記電子手段（４２〜４５）により制御される電気機械部材（３８、４１）と、
を含むことを特徴とする請求項３に記載の携帯電話機。
【請求項６】
前記ばね（２６）を有する機械モータ（２４）は、前記ばね（２６）を収容するとともに少なくとも１つの歯車（３１、３２）を介して前記回転部材（２１）を駆動するバレル（２５）を含み、前記電気機械部材は、前記電子手段（４２〜４５）により制御される双安定電磁石（３８）と、該双安定電磁石（３８）により制御されて、前記バレル（２５）又は前記歯車（３２）の歯状配列のうちの２つの連続する歯間に挿入することができるフィンガ（４７）を有する機械的阻止要素（４１）とを含む、
ことを特徴とする請求項５に記載の携帯電話機。
【請求項７】
前記携帯電話機の使用を構成する動作によって前記ばね（２６）が巻かれるようにする機構（２８、３０、５１〜５４、５４〜５７）を備える、
ことを特徴とする請求項５又は請求項６に記載の携帯電話機。
【請求項８】
前記携帯電話機は、互いに動くことができる２つの部分（４８、４９）を備え、前記呼び出し機構（２０）は、これらの２つの部分の一方（４８）に位置し、前記巻上げ機構は、前記ばね（２６）に接続された巻上げロッド（３０）と、前記２つの部分（４８、４９）の相対的動きを前記巻上げロッド（３０）の回転に変換するための手段（５１〜５３、５５〜５７）とを有する、
ことを特徴とする請求項７に記載の携帯電話機。
【請求項９】
前記回転部材（７、２１）は、ユーザにより置き換え可能に構成される、
ことを特徴とする請求項３から請求項８のいずれか１項に記載の携帯電話機。
【請求項１０】
前記回転部材（７、２１）は、シリンダ（６０）であり、該シリンダ（６０）の一端が駆動スピンドル上に装着され、他端が、前記シリンダ（６０）のボア（６４）内に受け入れられた突起（６６）によって支持され、前記突起（６６）は、前記シリンダ（６０）が配置されるハウジング（５９）を閉じる役目を果たす可動片（６２）により定められる、
ことを特徴とする請求項９に記載の携帯電話機。
【請求項１１】
前記呼び出し機構（６８）は、前記作動部材（７１）を磁気によってそれぞれ制御するように、前記電子手段（７６〜７８）により制御される１又はそれ以上の電磁石（７０）を含む、
ことを特徴とする請求項１又は請求項２に記載の携帯電話機。
【請求項１２】
前記作動部材（８、２２、７１）又は個々の前記作動部材（８、２２、７１）は、対応する前記発音要素（１０、２３、７２）を打つように構成されたハンマである、
ことを特徴とする請求項１から請求項１１のいずれか１項に記載の携帯電話機。
【請求項１３】
前記発音要素（１０、２３、７２）又は個々の前記発音要素（１０、２３、７２）は、チューブ型、ストリップ型、ベル型、及びワイヤ型のうちの１つである、
ことを特徴とする請求項１から請求項１２のいずれか１項に記載の携帯電話機。
【請求項１４】
前記電子制御手段は、前記携帯電話機の前記メインプロセッサ（１７、４４、７６）を含む、
ことを特徴とする請求項１から請求項１３のいずれか１項に記載の携帯電話機。
【請求項１５】
前記呼び出し機構（１）は、前記携帯電話機のガラス（２）を通して視認可能である、
ことを特徴とする請求項１から請求項１４のいずれか１項に記載の携帯電話機。
【発明の詳細な説明】
【技術分野】
【０００１】
本発明は、携帯電話機に関する。
【背景技術】
【０００２】
「携帯電話機」とは、携帯電話機自体又は携帯情報端末（ＰＤＡ）などの、携帯電話機能を有するあらゆる物体を意味すると理解される。
【０００３】
人口の大部分が携帯電話機を使用しており、これらには数多くの機能が備わっている。長年にわたり、電子部品の小型化が進んだことにより、カメラ、ＭＰ３プレーヤ、ＧＰＳ、又はメッセージを打ち込んだりインターネットにアクセスしたりすることができるコンパクトなキーパッドを含むことが可能になってきた。
【０００４】
他の電子機器の場合と同様に、携帯電話機の所有者は、これらに合った美的かつ機能的な特徴をますます求めるようになっている。従って、ユーザの間には、異なる着信音、壁紙、機能性、色、又はデザインを選択することにより、自身の携帯電話機をパーソナライズ及びカスタマイズしたいと望む傾向がある。
【発明の概要】
【発明が解決しようとする課題】
【０００５】
本発明は、驚くような、また実際に魅力的な携帯電話機を提案することを目的とする。
【課題を解決するための手段】
【０００６】
この目的のために、
‐少なくとも１つの発音要素と、この発音要素と機械的に接触してこれを振動させることにより音を発生させる少なくとも１つの作動部材とを含む呼び出し機構と、
‐呼び出し機構を制御するための電子手段と、
を備えた携帯電話機を提供する。
【０００７】
従って、本発明による携帯電話機は、特に、着信電話、メッセージの受信、又は電話のアラーム機能によってトリガすることができる呼び出し機械装置又は機構を含む。本発明による携帯電話機は、スピーカを備えた従来の呼び出し装置を含むこともでき、ユーザが２つの呼び出しオプションの一方を選択できるようにすることができる。
【０００８】
このような呼び出し機構は、音（機械的な呼び出しは、スピーカによる呼び出しとは異なる音を生み出す）並びに美観及び外観（携帯電話機上のガラスを通じて呼び出し機構が見えるようにすることができる）の両方の点で、予期しない、魅力的な、さらには遊び心のある特徴を携帯電話機に与える。
【０００９】
本発明の特定の実施形態は、添付の従属請求項において定める。
【００１０】
添付の概略図面を参照しながら以下の詳細な説明を読むと、本発明のその他の特徴及び利点が明らかになる。
【図面の簡単な説明】
【００１１】
【図１】本発明の第１の実施形態による、機械的呼び出し装置を備えた閉鎖位置にある携帯電話機の平面図である。
【図２】第１の実施形態による携帯電話機の呼び出し機構の部品を示す断面図である。
【図３】特に、この呼び出し機構を制御する電子部品を示すブロック図である。
【図４】本発明の第２の実施形態による携帯電話機で使用する呼び出し機構の平面図である。
【図５】特に、図４に示す呼び出し機構を制御する電子部品を示すブロック図である。
【図６】本発明の第２の実施形態による携帯電話機の側面図である。
【図７】特に、電話のケーシングの一部を取り外して呼び出し機構及び巻上げ機構を示す、本発明の第２の実施形態による携帯電話機の透視図である。
【図８】巻上げ機構の変形例を示す、図７と同じ種類の図である。
【図９】取り替え可能な回転シリンダを使用する第１又は第２の実施形態による携帯電話機の透視図である。
【図１０】本発明の第３の実施形態による携帯電話機で使用する、２つの異なる位置にある呼び出し機構の断面図である。
【図１１】本発明の第３の実施形態による携帯電話機で使用する、２つの異なる位置にある呼び出し機構の断面図である。
【図１２】図１０及び図１１に示す機構の頂面図である。
【図１３】特に、本発明の第３の実施形態による携帯電話機の呼び出し機構を制御する電子部品を示すブロック図である。
【発明を実施するための形態】
【００１２】
以下、電話機の電子部品により制御される機械的呼び出し装置又は機構を含む携帯電話機の異なる実施形態について説明する。
【００１３】
図１及び図２を参照すると、本発明の第１の実施形態による携帯電話機が、従来のスピーカ呼び出し装置（図示せず）に加え、呼び出し機構１を備える。この機構１は、電話機のケーシング４内に形成された開口部３を閉じるガラス２を通して完全に又は部分的に見ることができる。図示の例では、電話機が折り畳み式電話機であり、すなわち一方を他方の上に折り畳むことができる２つの部分５、６を連結して形成され、呼び出し機構１は、これら２つの部分のうちの画面を有する部分６内に形成され、ガラス２は、２つの部分５、６を一体に折り畳んだときでも機構１が見えるように、この部分６の画面とは反対側の外面内に装着される。しかしながら、代替例として、呼び出し機構１を電話機の他方の部分５内に配置することもできる。別の代替例では、本発明による携帯電話機を、互いにスライドする２つの部分、又は一体構成とすることができる。
【００１４】
呼び出し機構１は、軸を中心に回転可能なシリンダ７と、それぞれの軸９を中心に枢動するように装着され、シリンダ７の軸に対して垂直に延びるハンマ８と、ハンマ８にそれぞれ付随するチューブ１０とを有する。個々のハンマ８は、シリンダ７の表面に近接する第１の端部１１と、それぞれのチューブ１０に近接する第２の端部１２とを有する。個々のハンマ８は、第１の端部１１がシリンダ７に接触せず、第２の端部１２がそれぞれのチューブ１０に接触しない中立位置にハンマ８を保つ伸縮ばね（図示せず）の作用を受ける。チューブ１０は、打たれたときにチューブ自体の振動によって異なる音符を生成するように異なる長さを有する。シリンダ７は、表面上に突起１３を有する。シリンダ７が回転して、所与の突起１３が対応するハンマ８に達すると、突起１３がハンマ８の第１の端部１１に接触してこれに重みを掛け、ハンマ８をその伸縮ばねの作用に抗して枢動させる。この枢動中に、ハンマ８の第２の端部１２が持ち上がり、すなわちそれぞれのチューブ１０から離れる方向へ動く。突起１３が第１の端部１１を過ぎてもはやこれに接触しなくなると、ハンマ８がその伸縮ばねの作用のみを受けるようになる。伸縮ばねが弛緩することにより、端部１２がそれぞれのチューブ１０を打つことによって音符を生成するまでハンマ８が逆方向に素早く枢動し、その後ハンマ８は、チューブ１０が共鳴できるように、チューブ１０に近接はするが接触しない中立位置へと戻る。シリンダ７を回転駆動したときに機構１が奏でる旋律は、シリンダ７の表面上の突起１３の配置によって定められる。電話機のケーシング４には、ダストフィルタにより保護された小開口部１４をチューブ１０の一端に形成して、発生した音が抜けるようにする。
【００１５】
代替の実施形態では、チューブ１０を別のゴング、又はチャイム式腕時計において見られる種類のストリップ、ベル又は曲げたワイヤなどの発音要素に置き換えることができる。
【００１６】
図３は、呼び出し機構１の制御シーケンスを示している。電話機のメインプロセッサ１７には、通常は１２Ｃ、ＵＡＲＴ、又はＳＰＩ接続などのシリアル接続１６によってマイクロコントローラが接続される。マイクロコントローラ１５は、増幅回路１９を介して回転電気モータ１８に接続された出力部を有する。電気モータ１８はシリンダ７に機械的に接続されて、マイクロコントローラ１５による命令時にシリンダ７を回転駆動する。
【００１７】
従って、ユーザがこの呼び出しオプションを電話機で使用するものとして事前に選択していた場合、電話機が電話を受けると、プロセッサ１７がマイクロコントローラ１５に機構１の呼び出しをトリガするように命令する。次に、マイクロコントローラ１５がモータ１８を作動させ、これがシリンダ７を回転駆動し始めて旋律を奏でる。ユーザが電話機のキーパッドと画面を介して電話を容認又は拒否すると、プロセッサ１７がマイクロコントローラ１５に呼び出しを停止するように命令する。この結果、マイクロコントローラ１５はモータ１８を停止する。ユーザが、電話機の従来のスピーカ呼び出しオプションを使用するものとして事前に選択していた場合、プロセッサ１７は、電話を受けたときにこの呼び出し手段のトリガを制御してマイクロコントローラ１５に関与しない。
【００１８】
１つの代替の実施形態では、ユーザが依然として電話の容認も拒否も行っていない場合、プロセッサ１７が、機構１の呼び出しを停止するとともに、所定の時間後にスピーカを介した従来の呼び出しをトリガするように制御する。この所定の時間は、ユーザがプログラムすることができる。
【００１９】
プロセッサ１７によるマイクロコントローラ１５を介した命令時には、呼び出し機構１を、電話の受け取りをユーザに知らせることからなる以外の機能、例えば、ＳＭＳメッセージの受信又はバッテリ充電量が低いことをユーザに知らせたり、アラームクロックとして、又はユーザが事前にプログラムしていたイベントに関するリマインダのために使用することもできる。呼び出し機構１を１又はそれ以上の機能専用にし、従来の呼び出し装置を１又はそれ以上の別の機能専用にして、聞こえる呼び出しの種類から、呼び出しをトリガしているイベントの種類をユーザが判断できるようにすることもできる。
【００２０】
本発明の第２の実施形態による携帯電話機は、従来のスピーカ呼び出し装置に加え、図４に示すような呼び出し機構２０を備える。第１の実施形態と同様に、呼び出し機構２０は、表面上に突起（図示せず）を有する回転シリンダ２１と、シリンダ２１と協働するハンマ２２と、ハンマ２２によって作動するチューブ、ストリップ、ベル又は曲げたワイヤなどの発音要素２３とを有する。第１の実施形態とは異なり、回転シリンダ２１は電気モータによって駆動されず、機械式ばねモータによって駆動される。
【００２１】
機械式ばねモータ２４は、機械式腕時計の駆動部材のように、つる巻きモータばね２６を収容するバレル２５を有する。バレル２５は、ばね２６の内端が固定されたシャフト２７を中心に軸回転するように装着され、ばね２６の外端はバレル２５に固定される。シャフト２７は、巻上げロッド３０に装着された円筒形部品２９のワームスレッドに係合するラチェットホイール２８と同軸上にあってこれに固定して取り付けられる。電話機のケーシング外部には、ロッド３０の終端に位置し、これに固定して取り付けられた竜頭３０ａが突出する。竜頭３０ａを一方向に回すと、ワームスレッド２９を有する円筒形部品が回転し、これによりシャフト２７がばね２６を巻く方向に回転する。ラチェットホイール２８には歯止め（図示せず）が作用して、シャフト２７の逆方向の回転を防ぐ。従来の腕時計の巻上げ機構のように、竜頭３０ａを上述した方向と逆の方向に回してもラチェットホイール２８が回転駆動しないようにする手段が提供される。これらの手段（図示せず）は、ロッド３０に装着された第１及び第２のピニオンを含むことができる。第１のピニオンは、ロッド３０の周囲を自由に回転することができ、ワームスレッド２９を有する円筒形部品に対して固定されて回転する。「摺動ピニオン」と呼ばれる第２のピニオンは、ロッド３０上に固定されて回転するが、ロッド３０上を平行移動することができ、ばねにより第１のピニオンに抗して適用される。第１及び第２のピニオンは、第２のピニオンにより第１のピニオンを一方向に、すなわちばね２６を巻く方向にのみ駆動できるようにするブレゲ型の歯を有する。
【００２２】
バレル２５は、シリンダ２１と同軸上にあってこれに歯車列３２を介して固定して取り付けられたピニオン３１と協働する周辺歯を有する。ばね２６が緩和され、又は弛緩できるようになると、これによりバレル２５が回転し、この結果歯車列３２及びピニオン３１を介してシリンダ２１が回転駆動される。図示の例では、歯車列３２が、バレル２５に係合するホイール３３と、ホイール３３と同軸上にあってこれに固定して取り付けられた第１のピニオン３４と、第１のピニオン３４に係合する第２のピニオン３５と、第２のピニオン３５に係合する第３のピニオン３６と、第３のピニオン３６及びピニオン３１に係合してピニオン３１とともにかさ歯車を形成する第４のピニオン３７とを有する。
【００２３】
ばね２６は、竜頭３０ａを使用して手動で巻かれるが、機械式ばねモータ２４の起動及び停止は、電話機の電子部品により制御される。この目的のために、双安定電磁石３８などを備えた電気機械部材が使用され、この電磁石３８は、固定部又は固定子３９と、固定部３９内で平行移動できる部品４０と、この電磁石３８の可動部４０と機械的に連結した枢動阻止片４１とを有する。電磁石３８は、電話機のメインプロセッサ４４にシリアル接続４５（図５を参照）によって接続されたマイクロコントローラ４３により、電子増幅回路４２を介して制御される。電磁石３８の可動部４０は、電磁石３８がエネルギーを消費しない２つの安定位置にあることができる。枢動片４１は、電磁石３８の可動部４０に接続された第１の端部４６と、ホイール３３の２つの連続する歯間に挿入することができるフィンガを形成する第２の端部４７とを有する。可動部４０は、その安定位置の一方では、フィンガ４７がホイール３３の歯の外側にくる角度位置に片４１を保持する。この位置では、弛緩したばね２６の作用によってバレル２５、歯車列３２及びシリンダ２１が回転し、これがハンマ２２を作動させて発音要素２３に打ち付け、シリンダ２１の表面上に位置する突起により定められる旋律を奏でる。可動部４０は、その他方の安定位置では、フィンガ４７がホイール３３の２つの連続する歯間に挿入される角度位置に片４１を保持する。これにより、バレル２５、歯車列３２及びシリンダ２１がもはや回転できないようになる。呼び出し手段は停止される。代替例として、片４１が、バレル２５の歯などの、ホイール３３上にある歯以外の歯の組と協働して、バレル２５、歯車列３２及びシリンダ２１を阻止又は解除することもできる。
【００２４】
なお、図４に示す呼び出し機構では、電磁石３８を一方の安定位置から他方の安定位置へ移行させるためにしか電気エネルギーが必要とされない。事実、機構に音を出させるのに必要なエネルギーはばね２６により提供される。従って、本発明のこの実施形態は、電気エネルギーの観点から見て経済的であり、換言すれば、電話機のバッテリへの依存度が減少する。
【００２５】
竜頭３０ａは、巻上げロッド３０に固定して取り付けられた、六角凹部などの凹部を備えたフェルールに置き換えることができる。この場合、ばね２６は、凹部に適合する鍵を使用して巻かれる。竜頭３０ａにこのような凹部を設けて、鍵の有無に関わらず作動できるようにしてもよい。
【００２６】
本発明の別の特徴によれば、この第２の実施形態による携帯電話機が、ばね２６を、竜頭３０ａ又は前記フェルールを手動で作動させる以外の方法で、すなわち電話機の使用を構成する動作によって巻かれるようにする機構を備える。本出願人による国際特許出願ＰＣＴ／ＦＲ２００８／０５１５５４号には、２つの互いにヒンジ連結された又はスライドする部分からなる電話機の場合に、これを開くこと、ボタンを押すことなどの電話機の使用を構成する動作により、電話内に設けられた機械式腕時計のモータばねが巻かれるようにする機構についての記載がある。本発明では、このような巻上げ機構を使用してばね２６を巻くことができる。
【００２７】
図６及び図７は、ヒンジ５０を介して連結された２つの部分４８、４９で形成される第２の実施形態による電話機の場合に、この電話機に提供できるこのような巻上げ機構の例を示している。呼び出し機構２０は、電話機のキーパッドを含む部分４８に収容される。図６に示すように、部分４８の側面の一方には竜頭３０ａが突出する。巻上げロッド３０に装着され、これに固定して取り付けられたピニオン５１が、ヒンジ５０のスピンドル５４と同軸上にあってこれに固定して取り付けられたピニオン５３にピニオン列５２を介して係合し、スピンドル５４が、部分４９に固定して取り付けられる。従って、ユーザが電話機を閉じると、部分４９が部分４８に対して枢動し、ピニオン５３、及びピニオン列５２とピニオン５１を介して巻上げロッド３０をばね２６を巻く方向に回転させる。ユーザが電話機を開くと、上述したような巻上げロッド３０に装着された摺動ピニオン装置が、ロッド３０がラチェットホイール２８を駆動するのを防ぐ。言うまでもなく、巻上げ方向を逆にすることもでき、すなわち電話機を開くことによってばね２６が巻かれるようにすることもできる。
【００２８】
第２の実施形態による電話機内に提供できるばね２６の巻上げ機構の別の例を図８に示す。この例では、巻上げロッド３０がヒンジ５０のスピンドル５４に、歯車列によってではなく、巻上げロッド３０及びヒンジスピンドル５４にそれぞれ固定して取り付けられた滑車５６、５７と協働するベルト５５によって接続される。
【００２９】
２つの互いにスライドする部分からなる携帯電話機の場合、呼び出し機構を有していない部分がラックを含むことができ、このラックが、電話機の開閉時に、ばね２６を巻くための巻上げロッド３０と同軸上にあってこれに固定して取り付けられたピニオンと直接的に、又は歯車列を介して間接的に噛み合う。
【００３０】
上述した巻上げ機構の代替例として、第２の実施形態による携帯電話機が、自動機械式腕時計に提供される種類の振動質量体を含む自動巻上げ機構を備えることができ、この機構は、携帯電話機の動きを利用して、バレルシャフト２７をばね２６を巻く方向に回転させる。
【００３１】
第１の実施形態の場合のように、呼び出し機構２０を、様々な機能、すなわち電話又はメッセージの受信をユーザに知らせたり、バッテリ充電量が低いことをユーザに知らせたり、アラームクロックとして、又はイベントに関するリマインダのために使用することができる。第１の機能では、ユーザが依然として電話の容認も拒否も行っていない場合、プロセッサ４４が、機構２０の呼び出しの停止を制御して、所定の時間後に従来のスピーカ呼び出しのトリガを制御するようにすることができる。この所定の時間は、ユーザがプログラムすることができる。さらに、図５を参照してわかるように、ばね２６の張力が呼び出し機構２０を動作させるのに十分であるかどうかを判定するトルクセンサ５８を提供することができる。ばね２６が十分に巻かれていない場合、トルクセンサ５８により測定された張力状態を入力部の１つにおいて受け取るマイクロコントローラ４３が、呼び出し機構２０を作動させずにこの情報をプロセッサ４４に与え、次いでこのプロセッサ４４が、従来の呼び出しをトリガするように制御する。
【００３２】
本発明の有利な変形例によれば、第１の実施形態のシリンダ７又は第２の実施形態のシリンダ２１は取り替え可能であり、すなわちユーザは、これらのシリンダを、異なる旋律を生み出すように突起を別様に配置した別のシリンダと置き換えることができる。この目的のために、図９に示すように、電話機のケーシングにシリンダのためのハウジング５９が定められ、ここではこのシリンダを参照番号６０で示している。ハウジング５９には、ケーシング内に形成された開口部６１を介してアクセスすることができる。開口部６１は、ヒンジ６３を介してケーシングに連結された可動片６２によって開閉することができる。シリンダ６０は、中心縦方向ボア６４、及びボア６４内に開く内部縦方向溝６５を有する。シリンダ６０の第１の端部では、ボア６４が、駆動スピンドル、すなわち第１の実施形態におけるモータ１８のスピンドル及び第２の実施形態におけるピニオン３１のスピンドルを受け入れるようにされる。この駆動スピンドルは、溝６５と協働してシリンダ６０を前記スピンドルに回転固定させるリブを有する。シリンダ６０の第２の端部では、ボア６４が、可動片６２の内面上に突出して駆動スピンドルと位置合わせされた支持及び案内突起６６を受け入れるようにされる。シリンダ６０は、その第１の端部をフランジ６７によって、その第２の端部を片６２（図７参照）によって保持されることにより、その軸方向位置に保持される。可動片６２は、例えばボールデテント又はネジにより閉鎖位置に保持することができる。
【００３３】
この組み立てモードでは、ユーザがシリンダ６０を容易に取り外すことができ、ユーザは、片６２を開き、開口部６１を通じてシリンダ６０をそのハウジング５９から軸方向にスライドさせるだけでよい。ハウジング５９内に別のシリンダを配置することも同様に容易である。
【００３４】
第１及び第２の実施形態の代替例では、ハンマ８、２２を省略し、発音要素１０、２３が、シリンダ７、２１の表面の突起によって直接作動される振動ストリップの形をとるようにすることができる。
【００３５】
本発明の第３の実施形態による携帯電話機は、スピーカ呼び出し装置に加え、図１０及び図１３に部分的に示すような呼び出し機構６８を有する。この機構６８は、各々が電磁石７０、枢動ハンマ７１、及びチューブ、ストリップ、ベル又は曲げたワイヤなどの発音要素７２を含む１又はそれ以上の発音ユニットを有する。ハンマ７１はばね７３の作用を受け、このばね７３は、電磁石７０が励起されていないときには、ハンマ７１をその端部が電磁石７０にも発音要素７２にも接触しない中立位置（図１０）に保持する。ハンマ７１の少なくとも一方の端部７４は、鉄鋼材などの磁化材料で形成される。電磁石７０は、励起されるとハンマ７１の端部７４を引きつけ、これによりハンマ７１が枢動してハンマ７１の他端７５が発音要素７２を打つようになる（図１１）。実際には、電磁石７０は電気パルスにより制御される。ハンマ７１は、個々のパルス時に発音要素７２を打ち、その後ばね７３の作用により直ちにその中立位置へ戻って発音要素７２が共鳴できるようにする。機構６８が、異なる長さの発音要素７２を含む複数の発音ユニットを有する場合、電磁石７０へ所定のシーケンスの電気パルスを送ることにより旋律を奏でることができる。
【００３６】
図１３は、呼び出し機構６８を制御するための電子部品を示している。この電子部品は、電話機のメインプロセッサ７６と、メインプロセッサ７６に接続されたマイクロコントローラ７７と、マイクロコントローラ７７のそれぞれの出力部に接続された増幅回路７８とを有する。機構の個々の電磁石７０は、それぞれの増幅回路７８の出力部に接続され、従ってこの増幅回路７８を介してマイクロコントローラ７７により制御される。
【００３７】
この呼び出し機構６８を、第１及び第２の実施形態の機能と同じ機能のために使用することもできる。
【符号の説明】
【００３８】
１  呼び出し機構
２  ガラス
３  開口部
４  ケーシング
５  部分
６  部分
７  シリンダ
８  ハンマ
９  軸
１０  チューブ
１１  第１の端部
１２  第２の端部
１３  突起
１４  小開口部
【図１】
2012513143.tif 000003
【図２】
2012513143.tif 000004
【図３】
2012513143.tif 000005
【図４】
2012513143.tif 000006
【図５】
2012513143.tif 000007
【図６】
2012513143.tif 000008
【図７】
2012513143.tif 000009
【図８】
2012513143.tif 000010
【図９】
2012513143.tif 000011
【図１０】
2012513143.tif 000012
【図１１】
2012513143.tif 000013
【図１２】
2012513143.tif 000014
【図１３】
2012513143.tif 000015
【国際調査報告】
2012513143.tif 000016
2012513143.tif 000017
2012513143.tif 000018
2012513143.tif 000019